(57)【要約】      （修正有）【課題】透光性シート面に記録された画像を表示するための表示装置において、格別の煩雑な操作を要することなく鮮明に表示することのできる表示装置、かつ、メンテナンスが容易な表示装置を提供する。【解決手段】画像を記録した透光性シート４と、粘着性を持つ透光性シート３と、透光性硬質基板２とを貼り合わせ、貼り合わせていない透光性硬質基板の面を空気中に露出させ、基板の側端部５に光源６を配置する構造とする。粘着性を持つ透光性シートのクリーニングが容易であり、交換も可能となる。また、表示画像の背景となる暗色層８を積層により固着しない事により、任意の面側に暗色層を配置できる。さらに、暗色層を導光板となる基板から離して配置する事により、導光板を伝搬する光の暗色層による吸収を軽減できる。【選択図】図２
0003216445.tif 000002
【実用新案登録請求の範囲】
【請求項１】
透光性シート面に記録された画像を表示するための表示装置であって、画像を記録した透光性シートと、粘着性を持つ透光性シートと、透光性硬質基板とを貼り合わせ、粘着性を持つ透光性シートを貼り合わせる透光性硬質基板の第一の面とは反対側の第二の面が空気中に露出し、透光性硬質基板の側端面に光源を配置することを特徴とする表示装置。
【請求項２】
透光性シート面に記録された画像の背景を暗色に表示させる際に、画像を記録した透光性シートあるいは透光性硬質基板の一方の面に暗色シートを貼り合わせ、暗色シートとは反対側の面から表示画像を観察することを特徴とする請求項１に記載の表示装置。
【請求項３】
透光性シート面に記録された画像の背景を暗色に表示させる際に、画像を記録した透光性シートならびに透光性硬質基板から離して暗色シートを配置し、暗色シートを配置したのとは反対側から表示画像を観察することを特徴とする請求項１に記載の表示装置。
【考案の詳細な説明】
【技術分野】
【０００１】
本考案は、透光性シート面に記録された画像を表示するための表示装置に関する。例えば、鑑識用痕跡採取シートにより採取された、指紋や足跡、タイヤ跡等の痕跡を表示するために用いられる表示装置に関する。
【背景技術】
【０００２】
犯罪捜査において、指紋等の痕跡の採取は、痕跡と思われる箇所に、アルミの微粉末や、アルミと四三酸化鉄の混合微粉末等を、刷毛を用いて撒布し、穂先で軽く払うようにして指紋等の痕跡の隆線を視覚化した後、ここに、ベースフィルム層と、このベースフィルム層の片面に設けられた透明粘着剤層とから構成される鑑識用痕跡採取シートを貼付し、その粘着剤層に指紋の隆線を転写した後に剥離するという方法で行われる。（例えば、特許文献２参照）
【０００３】
あるいは、足跡等の痕跡の採取は、痕跡と思われる箇所に、直接に、ベースフィルム層とこのベースフィルム層の片面に設けられた透明粘着剤層とから構成される鑑識用痕跡採取シートの粘着剤層を押しあてて行う。さらには、このようにして採取された痕跡を強力な粘着剤層を備える別の鑑識用痕跡採取シートに再び転写するという方法で行われる。
【０００４】
痕跡が採取された鑑識用痕跡採取シートのような、シート面に画像が記録された透光性シートは、導光板に貼り付けて、導光板の側端部から入光して観察することが行われる。例えば、特許文献３にはこのような導光板を備えた鑑識採取痕跡の表示装置が開示されている。
【０００５】
しかし、このようなシート面に画像が記録された透光性シートは、導光板に貼り付けるときに導光板との間に気泡や隙間ができやすく、このため、観察する像が不鮮明になるという問題があった。あるいは、気泡や隙間なく導光板とシートとを貼り付けるために水を付けて貼り付けるなど煩雑な操作に手間がかかった。
【０００６】
透光性シート面に記録された画像を格別の煩雑な操作を要することなく鮮明に表示することのできる表示装置、鮮明な鑑識痕跡像が得られる鑑識用痕跡採取シートの表示装置として、例えば特許文献１のような表示装置が開示されている。特許文献１には、透光性シート面に記録された画像を表示するための表示装置であって、一の面に透光性の弾性樹脂層が積層された透光性硬質基板と、該透光性硬質基板の側端面から該透光性硬質基板の内部へ入光させる入光手段とを備えてなる表示装置が開示されており、前記透光性硬質基板の他の面に暗色層が積層され得ることが開示されている。
【０００７】
しかし、このような透光性硬質基板の一の面に透光性弾性樹脂層を積層させた構造においては、透光性弾性樹脂層にごみが付着した場合に、入光手段を一体化した装置全体を水洗いする事は出来ず、粘着シートのローラーなどでごみを吸着させてクリーニングを実施する。また、透光性弾性樹脂層に傷がつくなどして消耗した場合に、一の面に透光性弾性樹脂層を積層させた透光性硬質基板ごと交換する必要がある。
【０００８】
また、透光性硬質基板の一方の面に暗色層を積層した場合、記録された画像の表示における背景は積層した暗色だけに固定されてしまう。さらに、一方の面に暗色層を積層されているため、記録画像の観察はもう一方の面側で行う事になる。従って、鑑識用痕跡採取シートが記録層であるシリコーン層を透明でない台紙上に積層させたものである場合は直接表示装置で観察する事が出来ず、台紙が透明な鑑識用痕跡採取シートに記録画像を転写してから表示装置にて観察を行う事になる。従って、透光性硬質基板の一方の面に暗色層を積層する事は使用方法が限定されてしまう。
【０００９】
また、透光性硬質基板の周りが空気であれば、透光性硬質基板と周りの空気の屈折率の差が大きく、透光性硬質基板内部表面で光が全反射しやすく、透光性硬質基板は導光板として機能するが、透光性硬質基板面に暗色層を積層した場合で屈折率の差が大きくない場合は、境界面で全反射が起きにくく、暗色層によって導光板を伝搬する光が吸収されることが考えられる。従って、透光性硬質基板に暗色層を積層する事は導光板としても好ましくない。
【先行技術文献】
【特許文献】
【００１０】
【特許文献１】特開２０１３−２４６８７５号,特許第６０１８４１６号
【特許文献２】特開２００６−８７８４号,特許第４４２０２１１号
【特許文献３】特開２００８−９６９８２号
【考案の概要】
【考案が解決しようとする課題】
【００１１】
透光性シート面に記録された画像を格別の煩雑な操作を要することなく鮮明に表示することのできる表示装置、鮮明な鑑識痕跡像が得られる鑑識用痕跡採取シートの表示装置を提供する。
【００１２】
特許文献１に開示の表示装置において、透光性硬質基板に接する透光性樹脂層が汚れた場合にクリーニングが容易でなく、透光性硬質基板に接する透光性樹脂層が消耗した場合には透光性硬質基板とこれに接する透光性樹脂層がセットで交換が必要であることを解決する。
【００１３】
透光性硬質基板の一方の面に暗色層を積層した場合、記録された画像の背景は暗色だけに固定されてしまう。また、記録画像の観察は暗色層の積層とは反対側の面で行う事に限定される。
【００１４】
さらに、暗色層によって導光板としての透光性硬質基板を伝搬する光が吸収されることが考えられる。
【課題を解決するための手段】
【００１５】
透光性硬質基板に接する透光性樹脂層を積層により形成され固定されたものでなく、粘着性と透光性を持つシリコーンシートなどで構成し、画像を記録した透光性シートと、粘着性を持つ透光性シートと、透光性硬質基板とを貼り合わせた構成とする。
【００１６】
透光性硬質基板の一方の面に暗色層を積層せず、透光性シート面に記録された画像の背景を暗色に表示させる際には、暗色シートを一方から貼り合わせ、暗色シートとは反対側から表示画像を観察する。
【００１７】
透光性シート面に記録された画像の背景を暗色に表示させる際に、画像を記録した透光性シートならびに透光性硬質基板から離して暗色シートを配置し、暗色シートを配置したのとは反対側から表示画像を観察する。
【考案の効果】
【００１８】
透光性シート面に記録された画像を格別の煩雑な操作を要することなく鮮明に表示することのできる表示装置、ならびに鮮明な鑑識痕跡像が得られる鑑識用痕跡採取シートの表示装置を提供する。
【００１９】
透光性硬質基板に接する粘着性を持つ透光性シートが汚れた場合には、これを取り外して単体でクリーニングを行う事ができる。透光性硬質基板に接する粘着性を持つ透光性シートが消耗した場合には、粘着性を持つ透光性シートのみを交換できる。
【００２０】
透光性シート面に記録された画像の背景を暗色に表示させる際には、暗色シートを一方から貼り合わせ、暗色シートとは反対側から表示画像を観察する。画像の背景は変更が可能であり一意に固定されない。また、記録画像の観察がどちらか一方のみに限定されることがない。
【００２１】
暗色層を設けないため、導光板としての透光性硬質基板を伝搬する光が暗色層によって吸収されない。
【図面の簡単な説明】
【００２２】
【図１】本考案の表示装置の構成を示す図であり、上面模式図。
【図２】図２（ａ）は図１の断面模式図。図２（ｂ）,（ｃ）は他の実施の形態における断面模式図。
【図３】画像を記録する透光性シートあるいは鑑識用痕跡採取シートの構成を示す断面模式図。図３（ａ）は足痕跡採取前の採取シート。図３（ｂ）は足痕跡採取後の採取シート。
【考案を実施するための形態】
【００２３】
図１に示すように本考案の表示装置１は、透光性硬質基板２の第一の面２ａに粘着性をもつ透光性シート３と画像を記録した透光性シートあるいは鑑識用痕跡採取シート４を貼り合わせ、透光性硬質基板２の側端部５に接した光源６を備え、透光性硬質基板２の外周部と光源６とを囲う形でカバー７を備える。
【００２４】
画像の背景を暗色に表示させる場合には、図２（ｂ）に示すように暗色層８を透光性硬質基板２の第二の面２ｂに貼り合わせ、暗色層８とは反対側から表示画像を観察する。
【００２５】
画像の背景を暗色に表示させる場合のもう一つの実施の形態として、図２（ｃ）に示すように暗色層８を透光性硬質基板２の第二の面２ｂから離して配置し、暗色層８とは反対側から表示画像を観察する。
【００２６】
図３（ａ）に示すように、画像を記録する透光性シートあるいは鑑識用痕跡採取シートはベースフィルム９、画像を記録する粘着性をもつ透光性シート１０、保護フィルム１１から構成される。ベースフィルム９と画像を記録する粘着性をもつ透光性シート１０は接合されており、保護フィルム１１を剥離し、画像を記録する粘着性をもつ透光性シート１０の露わになった面を足痕跡に押し当てて足痕跡を採取する。図３（ｂ）に示すように足痕跡採取後は再び保護フィルム１１を密着させて、画像を記録する粘着性をもつ透光性シート１０の記録面と採取した足跡物１２を保護する。ベースフィルム９や保護フィルム１１は透光性を有する場合と、暗色などを有して透光性を持たない場合もある。
【００２７】
図２（ｂ），図２（ｃ）は、図３で言うところのベースフィルム９と保護フィルム１１がともに透光性を持つ場合か、ベースフィルム９が透光性を持ち保護フィルム１１を剥離して粘着性をもつ透光性シート３に貼り合わせる場合が考えられる。
【００２８】
図１および図２（ａ）において、画像を記録した透光性シートあるいは鑑識用痕跡採取シート４に含まれる図３で言うところのベースフィルム９あるいは保護フィルム１１が暗色を有する場合、暗色のフィルムが外側になるように粘着性をもつ透光性シート３に貼り合わせ、暗色層とは反対側から表示画像を観察する。画像を記録した透光性シートあるいは鑑識用痕跡採取シート４のベースフィルム９ならびに保護フィルム１１が暗色を有する場合は、保護フィルム１１を剥離して粘着性をもつ透光性シート３に貼り合わせる場合が考えられるが、画像を記録する粘着性をもつ透光性シート１０の露わになった記録面が粘着性をもつ透光性シート３に直接接触するため、画像を記録する粘着性をもつ透光性シート１０の記録画像の劣化と粘着性をもつ透光性シート３の汚れに結びつく。
【００２９】
図２（ｂ）において、画像を記録した透光性シートあるいは鑑識用痕跡採取シート４の側に暗色層８を貼り合わせ、透光性硬質基板２の第二の面２ｂの側から表示画像を観察してもよい。
【００３０】
図２（ｃ）において、画像を記録した透光性シートあるいは鑑識用痕跡採取シート４の側に暗色層８を離して配置し、透光性硬質基板２の第二の面２ｂの側から表示画像を観察してもよい。
【００３１】
図１において、光源６は透光性硬質基板２の長辺側端部に設けられているが、短辺測端部にも光源を設けてもよい。
【００３２】
図１ならびに図２において、光源６は透光性硬質基板２の両側の側端部になくともよく、片側の測端部に光源でもう片側には反射板を設けてもよい。
【００３３】
図１におけるカバー７には、透光性部材部分に触れることなく表示装置を取り扱うための持ち手を備えてもよい。
【符号の説明】
【００３４】
１：表示装置
２：透光性硬質基板
２ａ：第一の面
２ｂ：第二の面
３：粘着性をもつ透光性シート
４：画像を記録した透光性シートあるいは鑑識用痕跡採取シート
５：側端部
６：光源
７：カバー
８：暗色層
９：ベースフィルム
１０：画像を記録する粘着性をもつ透光性シート
１１：保護フィルム
１２：足跡物
【図１】
0003216445.tif 000003
【図２】
0003216445.tif 000004
【図３】
0003216445.tif 000005